(57)【要約】【課題】  刃先を箱面側に向け、箱両端にガイドストッパーを設けることにより、小さなフィルム引っ張り力でフィルム中央部からの切断作業を可能とする。【解決手段】  箱両端のロール軸部を受け止めるストッパー１５でロールの回転抵抗とロールの上昇を抑制し、平行刃３０ｃの中央部の刃先を箱面側に向けた変形刃３３とその変形刃３３を収納する開口穴２５ａを前面壁２に設けてフィルムに刃先が食い込み易くかつ変形刃３３で箱面を傷つけない構成にしている。【選択図】        図１
2006298408.tif 000002
【特許請求の範囲】
【請求項１】
下方の箱本体の内、横長く直立するラップフイルム引き出し側の前面壁に対し、後方の直立する後面壁上端に連設して設けられる片開き構造の上蓋には、その上蓋開放側の前垂れとなる上蓋前面壁の内側下方に固着して、下向の刃先の先端高さが横方向に平行又はゆるい傾斜のＶ字状になった横長の刃が設けられたラップフィルムロールを収納する中空の長四角箱状からなる食品包装用ラップフィルムの箱構造において、前記横長で下向きの刃先の向きを下方前面壁側に向けたことを特徴とする食品包装用ラップフィルムの箱構造。
【請求項２】
請求項１記載の食品包装用ラップフィルムの箱構造において、前記下向き前面壁側に向いた刃先の形状は、刃先を任意の角度で前面壁側に折り曲げた形状にしたことを特徴とする食品包装用ラップフィルムの箱構造。
【請求項３】
請求項１又は２のいずれか１項に記載の食品包装用ラップフィルムの箱構造において、前記下方前壁側に向けられた刃先は、刃の横長さ間の中央部の一部横幅間の刃先を下方前面壁側に向けたことを特徴とする食品包装用ラップフィルムの箱構造。
【請求項４】
下方の箱本体の内、横長く直立するラップフィルム引き出し側の前面壁に対し、後方の直立する後面壁上端に連設して設けられる片開き構造の上蓋には、その上蓋開放側の前垂れとなる上蓋前面壁の内側下方には、下向の刃先の先端高さが横方向に平行又はゆるい傾斜のＶ字状の横長鋸状の刃が固着して設けられ、その鋸状の刃先形状は等辺山形状に形成されたラップフィルムロールを収納する中空の長四角箱状からなる食品包装用ラップフィルムの箱構造において、前記等辺Ｖ字形状の刃先形状からなる横長の刃は、不等辺のＶ字形状の刃先から形成された刃の構造で、その刃先の長辺と短辺の内辺長さの短い方を横長の刃の中央部側に向けその中央部に対し、左右向い合せの刃先形状の並びにしたことを特徴とする食品包装用アップフィルムの箱構造。
【請求項５】
請求項４記載の食品包装用ラップフィルムの箱構造において、前記不等辺のＶ字形状の刃先は横長の刃の一部の刃先を不等辺のＶ字形状にし、中央部の任意の数の刃先を等辺山形形状の刃先としたことを特徴とする食品包装用ラップフィルムの箱構造。
【請求項６】
請求項１〜５のいずれか１項に記載の食品包装用ラップフィルムの箱構造において、箱本体の前面壁の外面には、任意の深さの穴が設けられ、その穴の位置は上蓋を閉じた状態の下向の刃先の高さ位置を挟んで上下に任意の高さと横幅の大きさで設けられ、その横幅の大きさは前記前面壁側に向けられた刃先の一部を収納状態にする構成にしたことを特徴とする食品包装用ラップフィルムの箱構造。
【請求項７】
請求項１〜６のいずれか１項に記載の食品包装用ラップフィルムの箱構造において、前記下向きの刃の長手方向の形状は中央部が低い円弧形状になったことを特徴とする食品包装用ラップフィルムの箱構造。
【請求項８】
請求項１〜７のいずれか１項に記載の食品包装用ラップフィルムの箱構造において、箱両端の横壁の奥行き幅の内前面壁側の横壁の一部を上方に伸延させ、その伸延部を箱の上端部で箱の内側に折り曲げ一定の立下り高さを有し、該立下り部の奥行き幅は上方の広い奥行き幅と下方の狭い奥行き幅からなり、前記広い奥行き幅の一部がロール軸の一部に重なる構成で、立下り部の奥行き幅の背側の片面は前面壁の内面に密着状態となり、もう一方の面にはロール軸が介設するガイド部を形成するストッパー形状となったことを特徴とする食品包装用ラップフィルムの箱構造。
【請求項９】
請求項８記載の食品包装用ラップフィルムの箱構造において、箱前面壁を上方に伸延させ前面壁の上端で箱の内側に折り曲げ、その折り曲げた内壁板の左右両端部には、任意の横幅で下端から上方の任意の高さ位置間に切断線を設け、その帯状の下方部を箱の内側に引き出し前面壁内側の任意の高さ位置を支点に内側に向って円弧形状のストッパー受けを形成し、前記横壁の内側に設けたストッパーの立下り部の奥行き幅面の一部を前記ストッパー受けの背側の一部で掛け止めする構成にしたことを特徴とする食品包装用ラップフィルムの箱構造。
【請求項１０】
請求項９記載の食品包装用ラップフィルムの箱構造において、前記帯状のストッパー受けを長く伸延させ箱の内側にロール下面側を半巻き状態にするＵ字状のロール吊り具を形成したことを特徴とする食品包装用ラップフィルムの箱構造。
【請求項１１】
請求項１〜７のいずれか１項又は請求項８又は請求項９のいずれか１項に記載の食品包装用ラップフィルムの箱構造において、前記前面壁内側に密着状態に設けられた内壁板を底板上面の略奥行き幅間に載置状態に伸延して内底板を設け、その内底板下方の箱の底板にはＵ字形状の切断線又はミシン目切断線からなる任意の広さのＵ字状の浮かし板部が設けられたことを特徴とする食品包装用ラップフィルムの箱構造。
【発明の詳細な説明】
【技術分野】
【０００１】
本発明は、ラップフィルムの使い勝手の向上を図る為、ラップフィルムの引き出しと切断及びロールの取り出しが容易な食品包装用ラップフィルムの箱構造に関するものである。
【背景技術】
【０００２】
ラップフイルムの使用において、最も好ましいと思われる使い勝手は、箱より水平に引き出したラップフイルム（以下フイルムと言う）をそのままの状態で対象物の上で切断するとフィルムにしわがよりにくくラップ作業が簡単なものとなる。その為には図３７で示すフィルム中央部からの切断が欠かせないものとなる。
【０００３】
従来の食品包装用ラップフィルムの箱構造（以下箱と言う）においては、刃の形状は大別して長手方向にフラットな形状と箱の中央部を最下点とするゆるいＶ字状の形状（以下Ｖ字カットと言う）からなり、そのいずれにおいても刃先の形状は一定の角度の等辺の逆く山形形状（以下Ｖ字状と言う）の刃先が波形状に連設して形成されている。そして、前記Ｖ字カットの刃においてはフィルムの中央部からの切断を可能としているが、図３４で示すようにフィルム面に刃が鋭角に介設するようにして中央部より外側に向ってフィルム面に斜め傾斜の刃先が鋭角的に順次食い込み易くするため、箱をできるだけ内側に回転させる必要があった。
【０００４】
そして、図３５で示すように箱の回転が少ないと刃先がフィルムに食い込みにくく切断が困難となる問題点があった。また、Ｖ字カットの刃の最下点では刃先が下向きに尖り安全上危険な構造であった。
【０００５】
また、Ｖ字状の刃先から構成されたＶ字カットの刃での切断では、ラップフィルム引き出し張力は横幅の中央部程強く、両端に行く程弱くなりラップフィルムの張りが弱い分刃の食い込みが両端部に行く程弱くなる。したがって、Ｖ字カットの傾斜角の大きさは中央部より外側に行く程大きくした構成が必要と考えられる。しかし、箱の大きさをコンパクトな構造にすればおのずと上蓋の刃を設けた上蓋前面壁の高さに一定の制約があり、Ｖ字カットの刃の傾斜角をより大きくするのは困難である。すなわち、中央部の最下点と両端部の高さとの差が大きいと蓋の前面壁の両端側の壁高さが小さくなり切断時にかかる蓋への力に対し弱くなる問題が生ずる。    
【０００６】
また、フラットな形状の刃ではラップフィルムを中央部から切断しようとする場合、刃の長手方向とラップフィルム面が平行に介設するため刃先がラップフィルムに食い込みにくく切断は困難であった。よって、箱を斜め内側に回転させてラップフィルムの端の方から切断しなければならず切断に一定の難しさとラップフィルムにしわが寄りやすい欠点があった。
【０００７】
また、図４０で示す様にＶ字状の刃先の内、切断側の刃先立ち角３８ｃが大きい程フィルム面に食い込み易い鋭角度が形成される。したがって、図３８で示す等辺形状の刃先では前記鋭角度が形成されにくく図３７で示す実施例でフィルム引き出し力に一定の大きな力が必要となり、前記で記述したように箱の回転を大きくしなければならない原因にもなっている。
【０００８】
また、フィルムを箱から引き出す場合、ロールの回転時に箱内面とロールの接触部に摩擦抵抗が生まれ、抵抗が大きいとロールが容易に回転せずフィルムの引き出しに大きな力が必要となるとともにロールが上昇して箱から飛び出そうとする原因となる。その飛び出しを抑えるため箱の横壁に半円状などの切り込みを入れ、それを外から内側の筒状のロール軸の中に押し込みロールの飛び出しを防ぐストッパーとしていた。しかし、フィルムの巻き戻しなどでフィルムの引き出し端部がわからなくなった場合などでその端部を捜す場合、ロールが箱の中に入ったままではその作業がやりずらくロールを箱から取り出す場合、前記ストッパーを元に戻すのが困難となりロールを取り出しにくいという問題点があった。
【０００９】
また、別のストッパーでは、箱の横壁の一部を上方に伸延させその伸延部を箱の内側に折り曲げ下方のロール軸の一部に一定のすきまで重なる構成のストッパーにしていた。しかし、紙質の折り曲げ部は小さな力で元に戻りやすくロールの飛び出しを確実に止めるのには不適当であった。
【００１０】
また、別のストッパーでは、箱のフィルム引き出し側の前壁の内側の両端に、２枚板重ね構造の前壁の内側の壁板の一部を横壁の内面沿いに折り曲げ、その折曲げ部の一部がロール軸の一部に重なる構成のストッパーにしている。しかし、ストッパーは紙質の板厚の厚み面でロールを受ける為ストッパーの受け面が小さくストッパーが変形しやすく、しかも板厚面の位置を常にロール軸に重なる状態を保つのが困難な問題点があった。
【発明の開示】
【発明が解決しようとする課題】
【００１１】
解決しようとする問題点は、箱に設けられている刃がフラットな形状の箱で切断作業を容易にしようとすると、フィルムを水平方向に引き出し、箱をフィルム方向の内側に回転させてもほとんどフィルム中央部からの切断ができにくい点である。
【００１２】
また、Ｖ字状の刃先形状では切断作業を容易にするため図３５で示すようにフィルムを水平方向に引き出し箱をフィルム方向にあまり回転させず、楽に切断しようとすると、切断始めとなる刃の中央部では、下向きの刃先に対し略直角方向にフィルムが引っ張られフィルムに刃先が食い込みにくく、強い引っ張り力により刃に強い曲げ作用が働く、よって刃の中央部の押えは強い力が必要となり、またできるだけ刃先に近い位置を押えないと刃先にかかる曲げモーメントが大きくなり刃や箱を傷める原因となる問題点があった。
【００１３】
また、フィルムを中央部から両側に切断していく場合、フィルムの張りは中央側の強い張りから外側の弱い張り状態にあるため、等辺のＶ字状の刃先では、中央側から外側に向って切断されていくフィルム面に対し刃先の向きが鋭角になりにくく張りの弱い所ではフィルムに刃先が食い込みにくいという問題点があった。（図３８参照）
【００１４】
また、Ｖ字カットの刃では、フィルムの張りの強い中央部より張りの弱い両端側に刃の傾斜角が大きい方がフィルム面に複数の刃が当りにくく確実に１枚１枚の刃に順次フィルムが食い込んで行き易い利点がある。よって、上蓋の前面壁の高さを有効に使う長手方向の刃の形状に本案の様な工夫の余地が生ずる問題点がある。（図２５、図２６、図２８参照）
【００１５】
また、ロールの横全長間で箱前面壁に介設するため、フィルムの引き出しを容易にしてロールの飛び出しを防ぐロールの回転抵抗を抑えるのができにくい点である。
【００１６】
また、フィルムの中央部からの切断において、Ｖ字カットの刃では長手方向の中央部が下向きに尖って危険を抑制しにくい点である。
【００１７】
また、ロールの箱への納入及び取り出しを容易にし、かつ、ロールの飛び出しを確実に防ぐストッパーが得られにくい点である。
【課題を解決するための手段】
【００１８】
本発明は、フィルムを箱から水平方向に容易に取り出しフィルムの中央部からやさしく切断するため、刃の長手方向の中央部下向きの任意の数の刃先を箱面側に向け、その一定の突起代で箱面側に向いた変形刃の一部又は全部を納する箱面に一定の横幅と高さのくぼみ穴を設けている。又はその穴の上方にはフィルムの一端を浮かせる任意の横幅と縦長のフィルム浮かし板がその浮かし板の上方を支点にしたスイング構造で形成されている。（図１〜図４参照）
【００１９】
また、フィルムの中央部から左右横方向に切断容易にするため、下向の刃先構造は刃の横長さの一部又は全部を不等辺Ｖ字状構造とし、不等辺のＶ字状の刃先の向きは、刃の横長さ間の中央部から左右対称の中央向きすなわち、刃先が中央に向った鋸ぎり状の刃先形状となっている。（図２２〜図２４参照）
【００２０】
また、フィルムの中央部からの切断で両端部側の切断を容易にするため、下向きの刃の長手方向の形状は、中央部を最下点にした構成の円弧形状としている。
（図２５、図２６参照）
【００２１】
また、フィルムの中央部からの切断で両端部側の切断を容易にするため、下向きの刃の長手方向の形状は、中央部の一定横幅間の水平部とその両側の斜め傾斜に高く勾配を設けた構成にしている。（図２８参照）
【００２２】
また、箱内のロールの納置の安定と主にフィルムの引き出し時のロールの飛び出しを防止し、切断作業を容易にするため、箱の両端の内側上部に図５、図９〜図１３、図１５〜図１７で示す横壁の奥行き幅の内前面壁側の横壁の一部を上方に伸延させその伸延部を箱の上端部で箱の内側に折り曲げ一定の立下り高さと奥行きの立下り板部を箱の内側に設け、その立下り部の上方の一部がロール軸の一部に重なる一定の大きい奥行き幅の構成とし、立下り部の一方の背側部が前面壁の内面に密着した奥行き幅のもう一方の背側部の一部は、ロール軸の前面側に使用時において介設する小さい奥行き幅からなるガイド構造となっている。そして、前記ストッパーの位置を安定させるため図１３〜図１７で示す箱前面壁の上端に連設して前面壁の内側に密着して設けられる内壁板の内、長手方向の両端部の前記内壁板の任意の高さから下端に向って縦方向に切断線を設けて任意の横幅と縦長さからなるストッパー受けを形成し、図１６、図１７で示すようにストッパー受け１５の下方部を受け止めロール軸のストッパーのガイド部１６が安定した位置に保持可能としている。
【００２３】
また、ロールの巻き戻しなどでフィルムの取り出し口が分らなくなった場合のロールの取り出しを容易にするため、図１３、図３１で示すように、箱の前面壁及び内壁板に連設して箱の底板上面に密着して内底板を設け、底板に設けられているＵ字状の切断線で形成されたＵ字状の浮かし板２２を前記内底板で覆っている。そして、図３１で示す様に浮かし板を下方から指で押し上げロールを押し出し易くしている。
【００２４】
また、別のロールの取り出し方では、図１８、図１９、図３２で示すように箱の前面壁に連設して設けられる内壁板の主に両端の一部を帯状の形状で箱の内面に介設状態に伸延させ、図３２で示すように帯状の吊り具でロールを巻き上げる様にしてロールの取り出しを容易にしている。
【発明の効果】
【００２５】
本発明の食品包装用ラップフィルムの箱構造は、下向の刃先形状の内中央部の一部刃先を内側に向けると、箱に対して水平横方向に取り出したフィルムをそのままの状態で箱蓋を閉じてフィルムを一定の強さで引っ張り切断することが容易となる。すなわち最も引っ張り力（フィルムの張り）の必要な切断開始時に、フィルム面に対し刃の長手方向を鋭角にして刃先がフィルムに食い込み易くするため、従来では図３４で示す箱を回転させなければならないが、本案の刃先形状では図３６で示す箱を回転させなくとも刃先がフィルム面に対し鋭角となり容易に切断しやすい利点がある。（図３３〜図３６参照）
【００２６】
そして、箱本体の前面壁にくぼみを設けると、前記壁面側に突起した刃先の変形部が収納容易となり、刃先の変形の防止とくぼみ壁面に刃先が強く介設するのを抑え壁面を傷めるのを防ぐ利点がある。（図４参照）
【００２７】
また、刃先の向きを長手方向の中央側に向けた不等辺の逆く山形形状の構成にすると、フィルムを中央部より外側に向って切断する場合鋸ぎりと同じ構成で、その切断方向に逆らう刃先の向きとなりフィルムに食い込み易い利点がある。（図３９、図４０参照）
【００２８】
また、刃の長手方向を円弧形状にすると両端程刃の傾斜角が大きくなりフィルムの両端側の張力（張り）の弱い部分に図４０で示すごとく刃の両端程、フィルムに曲げ角度４１が生じフィルムに刃先が食い込み易くなっている。
【００２９】
また、箱両端内側に設けたロール飛び出し防止ストッパーは、ロール上昇の受け止め力を大きくするため、ストッパー下方のガイド部にロール軸が強く介設することにより、ガイド部が前面壁の内面に強く密着し、ストッパーのガイド部が強く保持されることとなる。
したがって、ストッパーの保持効果と、ロールが前面壁内面に介設することなくロール軸とガイド部の介設のみによる小さい回転抵抗でフィルムを引き出せるので引き出し抵抗が小さく容易に引き出せるとともにロールの上昇の原因を抑制する効果を有している。（図９、図１０参照）
【００３０】
また、箱の底部に設けた浮かし板は紙質であるためスィング式に容易に指で押し上げ可能となりロールの取り出しを簡単にしている。そして、浮かし板はロールの重みを受ける内底板と密着し不使用時は常時閉じた状態にあり、美観を損なったり異物の進入を防ぐ構成である。（図３１参照）
【００３１】
また、図３２で示すロール取り出し方では、ロールを巻き上げる吊り具は、箱の前面壁及び内壁板に連設した構成であるため吊り具の位置と形状は、図１９で示す箱の内面に常時介設し安定した位置と形状を常に保ちロールの取り付け取り外しを実に簡単にしている。
【発明を実施するための最良の形態】
【００３２】
フラットな刃でも箱を大きく回転させず又大きく構造を変えたり部品数を増やすことなく、刃先の構造を変えるだけで、最もラップ作業が容易なフィルム中央部から切断することを実現した。また、フィルムの食い込みを良くするため、中央部の刃先の目を少し荒くしても刃先を壁面側に向けることにより、危険度を増やさずに切断を容易にする構造を得た。
【００３３】
複数の刃先を箱面側の向きにする場合、真中の刃先の箱面側への大きめの突起代とその左右の刃先の突起代を小さくしていくと、フィルム切断始めのフィルムへの刃先の食い込みの強さが真中の刃先に強く働き切断の始りが小さい引っ張り力で可能となる。
（図２０、図２１参照）
【実施例１】
【００３４】
図１は、本発明の１実施例の斜視図で、長四角箱状からなる食品包装用ラップフィルムの箱構造Ａ１は、箱本体１の後面壁４に連設して上蓋５が設けられ、その上蓋５の開放側の上蓋前面壁６に後述する図２３で示す長手方向の中央部の刃先の向きを変えた変形刃３３を備えた平行刃３０ｃが固着して設けられている。そして、箱本体１の前面壁２の中央部には後述する図３の構成と同じ様に図８で示す開口穴２５ａとフィルムの浮かし板２１ａが形成されている。更に箱本体１の左右両端の横壁７には後述する図９〜図１２で示す横壁７に連設してストッパー１５が設けられている。
【実施例２】
【００３５】
図２、図３は、本発明の食品包装用ラップフィルムの箱構造Ａ２の１実施例を示す正面図と横断面図で、箱本体１の前面壁２の内側には内壁板８が設けられた二重板構成で、前記前面壁２にはフィルム切断時の刃先の位置を示す切断位置標示線２６が表示され、その標示線２６を挟んだ任意の高さと横幅の大きさで前面壁を開口した開口穴２５ａが前記前面壁２の板厚の深さで設けられている。そして、その穴２５ａの上方には開口穴２５ａの横幅より小さい横幅で前面壁２の板厚に縦方向にミシン目状切断線２３を入れ、フィルムを浮かせるＵ字状の浮かし板２１ａを形成している。その浮かし板２１ａは前面壁上端１０を支点にスィング式に設けられている。そして、箱本体１の後面壁４に連設して設けられる上蓋５の開放側の上蓋前面壁６に固着して取り付けられた平行刃３０ａの長手中央部の複数の刃先は、刃先を箱の前面壁２側に向って横突起代３４の大きさで形成した変形刃３３と、その変形刃３３の左右の刃先形状は等辺の逆く山形形状になっている。（図２０、図２１参照）
【００３６】
図４の実施例は、図３の実施例の上蓋５を閉じた状態の実施例を示し、変形刃３３は開口穴２５ａに収納状態になっている。
【実施例３】
【００３７】
図５は、図２の箱本体１の平面を示す断面図であって、左右の横壁７の内側には横壁７に連設した後述する図９〜図１２で示すストッパー１５が設けられている。そして、底板３の中央部にはＵ字状のミシン目状切断線２４で形成されたＵ字状の浮かし板２２が構成されている。
【実施例４】
【００３８】
図６は、図５の前面壁２の中央部の矢視図であって、前面壁２の中央部には任意の大きさの四角形状の開口穴２５ｃが設けられ、その開口穴２５ｃ高さ位置は、フィルムの切断位置標示線２６の高さを上下にまたぐ高さ位置に配置されている。
【実施例５】
【００３９】
図７は、図６の開口穴の変形例を示す図であって、開口穴２５ｂの上方に一定の縦長さでミシン目状切断線２３を入れ、図３０で示すような上方支点のスィング式の浮かし板２１ａが開口穴２５ｂの横幅と同じ横幅の大きさで設けられている。
【実施例６】
【００４０】
図８は、図６の変形例を示す図であって、広い横幅の開口穴２５ａの上方に、開口穴２５ａより狭い横幅のミシン目状切断線２３を前面壁上端１０までの縦長さ間に渡って入れ、図３の想像線で示すような前面壁上端１０を支点にしたスィング式の浮かし板２１ａを設けている。
【実施例７】
【００４１】
図９〜図１２には、図５のストッパー１５の拡大詳細図であって、横壁７に連設して横壁７の上端で箱の内側に折り返し状態に設けられたストッパー１５は、図９で示すごとくロール軸部５２の前面壁２側の一部に重なる奥行き幅１７ａで設けられ、図１０で示すごとくストッパー１５の立下り部は上方の円弧状から下方に向って前面壁２側に狭くなる奥行き幅１７ｂの形状で形成され、図１１で示すごとく横壁７と略平行でロール軸部５２に確実に介設する立下り構成となっている。そして、図１２では、ロール軸部５２の上端部ではストッパー１５の折り曲げ代は小さなものとしロール軸部５２のみに確実に介設する構造としている。
【実施例８】
【００４２】
図１３〜図１７は、図５の変形例を示す図であって、底板３の中央部に設けられているＵ字状の浮かし板２２は図１４で示すように内壁板８に連設して底板３の上面に密着状態に設けられる内底板９で覆われている。そして、図１５〜図１７で示すように内壁板８の両端には、横壁７の上端を折り返し形状に設けたストッパー１５の曲げ部の戻り力を一定の位置で垂直立下り状態に保つストッパー受け１８が下方フリー状態に内壁板８に連設して設けられ、その帯状のストッパー受け１８の横幅は、図１７で示すように内壁板８の下端から任意の立上り高さ位置間に切断線２７を入れて形成され、図１６で示すようにストッパー受け１８の下方部を箱内側に曲げて、ストッパー１５の掛け止めを確実にする構成にしている。
【実施例９】
【００４３】
図１８、図１９は、図１３、図１６の変形例を示す図であって、箱の両端に設けられているストッパー１５に一部が介設してロールを吊り上げる帯状の吊り具１９が箱の内壁板８に連設し、箱の内面に介設してＵ字形状の構成で設けられ、前記ストッパー１５と吊り具１９の介設部は前述した図１６のストッパー受け１６と同じ作用を働かせる形状となっている。
【実施例１０】
【００４４】
図２０、図２１は、本発明の刃形の実施例を示し、等辺Ｖ字状の等辺刃先３１から形成された下向きの刃先の高さが全長に渡って略平行な平行刃３０ａの内、長手方向の中央部の刃先の下突起代３４ａがわずかに高く設けられ、その刃の先端部が箱前面壁側に突起代３４ａの大きさで形成されている。そして、その中央部の刃の両端の刃先の突起代３４ａは、わずかに小さい大きさになった複数の変形刃３３が設けられて平行刃３０ａを形成している。
【実施例１１】
【００４５】
図２２は、本発明の刃形の他の実施例を示し、刃の長手方向の中央部の刃は、下向に小さくゆるいＶ字状に突起高さ３５を有し、少なくとも中央のＶ字状の等辺刃先３１に対し、その中央の刃先３１の左右両側の刃先形状は、不等辺Ｖ字状の不等辺刃先３２形状で刃先の向きを、外側から中央側に向けた構成で平行刃３０ｂを形成している。
【実施例１２】
【００４６】
図２３は、図２０、図２１の刃形の変形例を示し、刃の長手方向の中央部の変形刃３３の左右両側の刃先形状は不等辺刃先３２形状で刃先の向きを、外側から中央側に向けた構成で平行刃３０ｃを形成している。
【実施例１３】
【００４７】
図２４は、図２２の刃形の変形例を示し、刃の長手方向の中央部のゆるいＶ字状に突起高さ３５を有する刃先は変形刃３３構成で、その変形刃３３の両側の刃形は不等辺刃先３２となって平行刃３０ｄを形成している。
【実施例１４】
【００４８】
図２５は、図２０の変形例を示し、等辺刃先３１からなる刃の長手方向の形状は円弧形状の構成で長手方向の中央部の複数の刃先が変形刃３３となって円弧刃３０ｅを形成し、中央部の小さい刃先傾斜角３６ａから外側に向って大きくなる刃先傾斜角３６ｂ構成となっている。
【実施例１５】
【００４９】
図２６は、図２５の変形例を示し、円弧形状の刃の中央部の変形刃３３以外の両側の刃形は、刃先が中央部を向いた不等辺刃先３２で構成されて円弧刃３０ｆを形成している。
【実施例１６】
【００５０】
図２７は、図２０の変形例を示し、全てが等辺刃先３１からなる刃先は全てが変形刃３３となった構成で平行刃３０ｇを形成している。
【実施例１７】
【００５１】
図２８は、全て等辺刃先３１からなる刃の長手方向の内、中央部の複数の刃先の高さが平行となる平行部３７と、その平行部３７に連設して刃先傾斜角３６を備え、前記平行部３７の複数の刃は変形刃３３となって傾斜付き刃３０ｈを形成している。
【実施例１８】
【００５２】
図２９は、図６の開口穴２５ｃを用いた使用例で、前面壁２に設けた一定の浅い開口穴２５ｃに一部指先を入れフィルム５０をつまみ上げている。
【実施例１９】
【００５３】
図３０は、図７の開口穴２５ｂとフィルムの浮かし板２１ｂを用いた使用例で、開口穴２５ｂに一部指先を入れ上方の浮かし板２１ｂを持ち上げフィルム５０を指先でつまみ上げている。
【実施例２０】
【００５４】
図３１は、図１３、図１４の浮かし板２２を用いた使用例を示し、箱内に納置されたロール５１を底板３にＵ字状に切断して設けられた浮かし板２２を、指で押し上げ内底板９とともにロール５１を上方に押し上げている。
【実施例２１】
【００５５】
図３２は、図１９の吊り具１９を用いた使用例を示し、Ｕ字状になった帯状の吊り具１９に載置して箱内に納置されたロール５１を吊り具１９の先端部を持ち上げてロール５１を巻き上げている。
【実施例２２】
【００５６】
図３３は、本発明の１実施の食品包装用ラップフィルムの箱構造Ａ１を用いた使用例を示す斜視図で、箱回転方向５４にやや回転させて一定の力で引っ張ったフィルム５０を中央部から切断している。
【実施例２３】
【００５７】
図３４は、刃先が従来と同じく全て下向きになった刃３０の切断の使用例を示す１実施の断面図で、箱回転方向５４に箱を回転させフィルム切断角度４６ａを鋭角にするほど、刃先にフィルム５０が食い込み易く切断が容易になる。したがって、従来の刃の形状では箱を一定の大きさで回転する必要がある。
【実施例２４】
【００５８】
図３５は、図３４の変形の使用例を示す１実施の断面図で、刃３０に介設するフィルム５０が略直角状態（箱を回転しない場合）で切断しようとすると、下向きの刃先にフィルム５０が食い込みにくく、上蓋前面壁６に無理な力が働く、そして指の押え位置が刃３０から離れ過ぎると上蓋前面壁６が変形し一層切断しにくくなる。
【実施例２５】
【００５９】
図３６は、図２〜図４で示す変形刃３３を持つ食品包装用ラップフィルムの箱構造Ａ２を用いた１実施のフィルム５０切断の断面図で、直立の前面壁２に対し水平方向に引き出したフィルム５０に介設する刃先は、刃先向き角度４４が大きい程フィルム切断角度４６ｂが鋭角となり、切断始めの最も切断が困難なときに図３４で示すように箱の回転をしなくてもフィルムの切断が容易となる実施例を示している。そして、一定のフィルム引き出し角度４５内においても一定の切断角度が得られて切断を可能としている。
【実施例２６】
【００６０】
図３７は、水平に引き出したフィルム５０を中央部から外側に向って切断し、切断進行時の切断基点４０と切断進行方向４３を示している。
【実施例２７】
【００６１】
図３８は、従来の等辺Ｖ字形状の等辺刃先３１からなる平行刃での切断では、切断基点４０から切断側４２の刃先立ち角３８ａが一定の小さい角度である為、切断基点４０のフィルムへの刃先入角３９ａが一定の大きさとなり切断が困難となる実施例を示している。
【実施例２８】
【００６２】
図３９は、図３８の変形例を示し、刃先の形状は不等辺Ｖ字形状になった不等辺刃先３２構成の平行刃で、切断基点４０から切断側４２の刃先立ち角３８ｂが一定の大きな角度にすると、刃先が切断側に向いた分、切断基点４０のフィルムへの刃先入角３９ｂが一定の小さなものとなり切断を容易にする実施例を示している。
【実施例２９】
【００６３】
図４０は、図３９の変形例を示し、刃に一定の刃先傾斜角３６を持たせると、フィルムに切断基点４０を中心として曲げ角度４１が生じ前記刃先傾斜角３６の大きさ分、図３９に比べて刃先立ち角３８ｃが鋭角となり、刃先入角３９ｂの大きさが同じであってもフィルムの曲げ角度４１が生じた分、フィルム５０に刃が食い込み易くなる。
図４０は、図３９
【図面の簡単な説明】
【００６４】
【図１】本発明の上蓋を開けた状態の実施例を示す斜視図である。
【図２】本発明の上蓋を開けた状態の実施例を示す正面図である。
【図３】図２のＸ１−Ｘ１線による矢視図である。
【図４】図３の変形例で上蓋を閉じた状態図である。
【図５】図２のＸ２−Ｘ２線による矢視図である。
【図６】図５のＸ３−Ｘ３線による一部矢視図である。
【図７】図６の変形例を示す図である。
【図８】図６の別の変形例を示す図である。
【図９】図５の一方の横端の一部拡大図である。
【図１０】図９のＸ４−Ｘ４線による一部想像線を含む起立矢視図である。
【図１１】図９のＸ５−Ｘ５線による矢視図である。
【図１２】図９のＸ６−Ｘ６線による矢視図である。
【図１３】図５の変形例を示す図である。
【図１４】図１３のＸ７−Ｘ７線による起立矢視図である。
【図１５】図１３の一方の横端の一部拡大図である。
【図１６】図１５のＸ８−Ｘ８線による起立矢視図である。
【図１７】図１５のＸ９−Ｘ９線による矢視図である。
【図１８】図５、図１３の変形例を示す図である。
【図１９】図１８のＸ１０−Ｘ１０線による起立矢視図である。
【図２０】本発明の刃形の実施例を示す一部拡大正面図である。
【図２１】図２０のＸ１１−Ｘ１１線による矢視図である。
【図２２】図２０の変形例を示す図である。
【図２３】図２２の変形例を示す図である。
【図２４】図２２の変形例を示す図である。
【図２５】図２０の変形例を示す図である。
【図２６】図２５の変形例を示す図である。
【図２７】図２０の変形例を示す図である。
【図２８】図２５の変形例を示す図である。
【図２９】図６の構成を用いた使用例を示す横断面図である。
【図３０】図７の構成を用いた使用例を示す横断面図である。
【図３１】図１３、図１４の構成を用いた使用例を示す横断面図である。
【図３２】図１９の構成を用いた使用例を示す横断面図である。
【図３３】本発明の使用例を示す斜視図である。
【図３４】切断の使用例を示す横断面図である。
【図３５】図３４の変形例を示す図である。
【図３６】本発明の切断の使用例を示す横断面図である。
【図３７】本発明の使用例を示す斜視図である。
【図３８】従来の切断例を示す一部拡大正面図である。
【図３９】本発明の切断例を示す一部拡大正面図である。
【図４０】図３９の変形例を示す図である。
【符号の説明】
【００６５】
Ａ１  ：食品包装用ラップフィルムの箱構造
Ａ２  ：食品包装用ラップフィルムの箱構造              
１  ：  箱本体             
２  ：  前面壁
３  ：  底板               
４  ：  後面壁
５  ：  上蓋               
６  ：  上蓋前面壁 
７  ：  横壁               
８  ：  内壁板
９ ：  内底板                           
１０  ：  前面壁上端 
１５  ：  ストッパー                                  １６  ：  ガイド部                                                                                        
１７ａ：  奥行き幅                                  １７ｂ：  奥行き幅
１８  ：  ストッパー受け                            １９  ：  吊り具
２１ａ：  浮かし板                                  ２１ｂ：  浮かし板
２２  ：  浮かし板                                  ２３  ：  ミシン目状切断線
２４  ：  ミシン目状切断線                      ２５ａ：  開口穴
２５ｂ：  開口穴                                    ２５ｃ：  開口穴
２６  ：  切断位置標示線                        ２７  ：  切断線
３０  ：  刃                                          ３０ａ：  平行刃
３０ｂ：  平行刃                                    ３０ｃ：  平行刃
３０ｄ：  平行刃                                    ３０ｅ：  円弧刃
３０ｆ：          円弧刃                                    ３０ｇ：  平行刃
３０ｈ：  傾斜付き刃                              ３１  ：  等辺刃先  
３２  ：  不等辺刃先                              ３３  ：  曲げ刃
３４ａ：  下突起代                                  ３４ｂ：  突起代
３５  ：  突起高さ                                  ３６  ：  刃先傾斜角
３６ａ：  刃先傾斜角                              ３６ｂ：  刃先傾斜角
３７  ：  平行部                                    ３８ａ：  刃先立ち角
３８ｂ：  刃先立ち角                              ３８ｃ：  刃先立ち角                              
３９ａ：  刃先入角                                  ３９ｂ：  刃先入角
３９ｃ：  刃先入角                                  ４０  ：  切断基点
４１  ：  曲げ角度                                  ４２  ：  切断側  
４３  ：  切断進行方向                            ４４  ：  刃先向き角度      
４５  ：  フィルム引き出し角度                  ４６ａ：  切断角度          
４６ｂ：  切断角度                                  ５０  ：  フィルム
５１  ：  ロール                                    ５２  ：  ロール軸部
５３  ：  フィルム張力                            ５４  ：  箱回転    
【図１】
2006298408.tif 000003
【図２】
2006298408.tif 000004
【図３】
2006298408.tif 000005
【図４】
2006298408.tif 000006
【図５】
2006298408.tif 000007
【図６】
2006298408.tif 000008
【図７】
2006298408.tif 000009
【図８】
2006298408.tif 000010
【図９】
2006298408.tif 000011
【図１０】
2006298408.tif 000012
【図１１】
2006298408.tif 000013
【図１２】
2006298408.tif 000014
【図１３】
2006298408.tif 000015
【図１４】
2006298408.tif 000016
【図１５】
2006298408.tif 000017
【図１６】
2006298408.tif 000018
【図１７】
2006298408.tif 000019
【図１８】
2006298408.tif 000020
【図１９】
2006298408.tif 000021
【図２０】
2006298408.tif 000022
【図２１】
2006298408.tif 000023
【図２２】
2006298408.tif 000024
【図２３】
2006298408.tif 000025
【図２４】
2006298408.tif 000026
【図２５】
2006298408.tif 000027
【図２６】
2006298408.tif 000028
【図２７】
2006298408.tif 000029
【図２８】
2006298408.tif 000030
【図２９】
2006298408.tif 000031
【図３０】
2006298408.tif 000032
【図３１】
2006298408.tif 000033
【図３２】
2006298408.tif 000034
【図３３】
2006298408.tif 000035
【図３４】
2006298408.tif 000036
【図３５】
2006298408.tif 000037
【図３６】
2006298408.tif 000038
【図３７】
2006298408.tif 000039
【図３８】
2006298408.tif 000040
【図３９】
2006298408.tif 000041
【図４０】
2006298408.tif 000042